(57)【特許請求の範囲】
【請求項１】
表示部本体がスタンド台座で支持される表示装置の梱包構造であって、
展開可能に形成された梱包箱と、
前記梱包箱内に収容されて前記スタンド台座による支持位置よりも低い位置に前記表示部本体を支持するアドと、
前記表示部本体が前記スタンド台座による支持位置よりも高い位置で支持されるよう前記アドを支持するエアバッグと、
を備えることを特徴とする梱包構造。
【請求項２】
前記アドは、前記梱包箱内に収容されて前記表示部本体の幅方向の端部を支持する一対の端部アドであることを特徴とする請求項１に記載の梱包構造。
【請求項３】
前記エアバッグは、前記端部アドの下面に備えられていることを特徴とする請求項２に記載の梱包構造。
【請求項４】
前記梱包箱内に収容されて前記表示部本体の幅方向の中央部を支持する中央部アドを備え、
該中央部アドは、前後に分割してそれぞれ前記表示部本体の前側及び後側から取り外せるよう構成されて、前記エアバッグで支持された前記端部アドと同じ高さに前記表示部本体を支持していることを特徴とする請求項２又は３に記載の梱包構造。
【請求項５】
表示装置の梱包構造であって、
梱包状態において、表示部本体の下面の幅方向の両端に配置される底アドと、
梱包状態において、前記表示部本体の上面の幅方向の両端に配置される天井アドと
前記底アドの下側に設けられたエアバッグと、
前記底アドと直上の前記天井アドとを連結する連結部材と、
を有し、
前記エアバッグが収縮したときに、前記表示部本体の重さで前記底アドが下降するともに、下降に伴い前記連結部材による前記底アドと前記天井アドとの連結距離が長くなり、前記天井アドが前記表示部本体から外れるように構成されている
ことを特徴とする表示装置の梱包構造。
【請求項６】
表示装置の梱包構造であって、
梱包状態において、表示部本体の下面の幅方向の両端に配置される底アドと、
前記表示部本体の上面の幅方向の両端に配置される天井アドと、
前記底アドの下側に設けられたエアバッグと、
前記底アドと直上の前記天井アドとを連結する連結部材と、
を有し、
前記エアバッグが収縮したときに、前記表示部本体の重さで前記底アドが下降するともに、下降に伴い前記連結部材が前記底アドから外れるように構成されている
ことを特徴とする表示装置の梱包構造。
【請求項７】
表示装置の梱包構造であって、
梱包状態において、表示部本体の下面の幅方向の両端に配置される底アドと、
前記表示部本体の上面の幅方向の両端に配置される天井アドと
前記底アドの下側に設けられたエアバッグと、
前記底アドと直上の前記天井アドとを連結する連結部材と、
を有し、
前記エアバッグが収縮したときに、前記表示部本体の重さで前記底アドが下降するともに、下降に伴い前記連結部材が前記天井アドと前記底アドと連結したまま前記天井アドが前記表示部本体から外れるように構成されている
ことを特徴とする表示装置の梱包構造。
【発明の詳細な説明】
【技術分野】
【０００１】
本発明は、表示装置の梱包構造に係り、例えば液晶モニター装置や液晶テレビ、有機ＥＬテレビ等の表示装置の梱包構造に関する。
【背景技術】
【０００２】
近年、液晶テレビ等の薄型表示装置においては、大型化が進んでおり、画面サイズが９０インチクラスの製品が投入されるようになっている。さらには、表示パネルの薄型化も進んでおり、表示装置の輸送・運搬に関して、より慎重な扱いが求められるようになっている。その対策の一つとして、表示装置の梱包構造に対して各種の技術が提案されている。
【０００３】
例えば、袋状の収容部内にエアバッグを入れて被包装物と梱包箱の間に垂らし、エアバッグを膨らませて被包装物を安定させる技術がある（例えば、特許文献１参照）。また、梱包用容器の内面に設けられたエアバッグで製品を保護する技術がある（例えば、特許文献２参照）。
【先行技術文献】
【特許文献】
【０００４】
【特許文献１】特開平１０−１１４３６６号公報
【特許文献２】特開平９−９９９７９号公報
【発明の概要】
【発明が解決しようとする課題】
【０００５】
ところで、薄型表示装置の代表例である液晶テレビでは、開封したテレビ本体にスタンド台座を取り付ける場合には、一般的に作業者はテレビ本体を横に倒してスタンド台座の取付面を上に向ける等、テレビ本体を動かす必要があった。このため、エアバッグを利用した従来の梱包構造では、エアバッグを用いて梱包品に加えられる衝撃をうまく吸収できるものの、開梱スペースを広く取る必要があり、また、スタンド機構の取付や開梱作業に手間がかるという課題があった。このようなことから、表示装置の梱包構造において、開梱作業を安全に行うとともに作業効率を向上させる別の技術が求められていた。
【０００６】
本発明は斯かる課題に鑑みてなされたもので、上記課題を解決できる技術を提供することを目的とする。
【課題を解決するための手段】
【０００７】
本発明は、表示部本体がスタンド台座で支持される表示装置の梱包構造であって、展開可能に形成された梱包箱と、前記梱包箱内に収容されて前記スタンド台座による支持位置よりも低い位置に前記表示部本体を支持するアドと、前記表示部本体が前記スタンド台座による支持位置よりも高い位置で支持されるよう前記アドを支持するエアバッグと、を備える。
また、前記アドは、前記梱包箱内に収容されて前記表示部本体の幅方向の端部を支持する一対の端部アドであってもよい。
また、前記エアバッグは、前記端部アドの下面に備えられてもよい。
また、前記梱包箱内に収容されて前記表示部本体の幅方向の中央部を支持する中央部アドを備え、該中央部アドは、前後に分割してそれぞれ前記表示部本体の前側及び後側から取り外せるよう構成されて、前記エアバッグで支持された前記端部アドと同じ高さに前記表示部本体を支持してもよい。
本発明は、表示装置の梱包構造であって、梱包状態において、表示部本体の下面の幅方向の両端に配置される底アドと、梱包状態において、前記表示部本体の上面の幅方向の両端に配置される天井アドと、前記底アドの下側に設けられたエアバッグと、前記底アドと直上の前記天井アドとを連結する連結部材と、を有し、前記エアバッグが収縮したときに、前記表示部本体の重さで前記底アドが下降するともに、下降に伴い前記連結部材による前記底アドと前記天井アドとの連結距離が長くなり、前記天井アドが前記表示部本体から外れるように構成されている。
本発明は、表示装置の梱包構造であって、梱包状態において、表示部本体の下面の幅方向の両端に配置される底アドと、前記表示部本体の上面の幅方向の両端に配置される天井アドと、前記底アドの下側に設けられたエアバッグと、前記底アドと直上の前記天井アドとを連結する連結部材と、を有し、前記エアバッグが収縮したときに、前記表示部本体の重さで前記底アドが下降するともに、下降に伴い前記連結部材が前記底アドから外れるように構成されている。
本発明は、表示装置の梱包構造であって、梱包状態において、表示部本体の下面の幅方向の両端に配置される底アドと、前記表示部本体の上面の幅方向の両端に配置される天井アドと、前記底アドの下側に設けられたエアバッグと、前記底アドと直上の前記天井アドとを連結する連結部材と、を有し、前記エアバッグが収縮したときに、前記表示部本体の重さで前記底アドが下降するともに、下降に伴い前記連結部材が前記天井アドと前記底アドと連結したまま前記天井アドが前記表示部本体から外れるように構成されている。
【発明の効果】
【０００８】
本発明によれば、表示装置の梱包構造において、開梱作業を安全に行うとともに作業効率を向上させる技術を提供できる。
【図面の簡単な説明】
【０００９】
【図１】第１の実施形態に係る、テレビの梱包構造を部分的に示す斜視図である。
【図２】図１の下箱側を示す分解斜視図である。
【図３】第１の実施形態に係る、テレビの梱包方法を示す斜視図である。
【図４】第１の実施形態に係る、テレビの梱包構造の変形例を示す分解斜視図である。
【図５】図４の梱包構造でのテレビの開梱方法を示す第１の斜視図である。
【図６】図４の梱包構造でのテレビの開梱方法を示す第２の斜視図である。
【図７】第２の実施形態に係る、テレビの梱包構造を部分的に示す斜視図である。
【図８】第２の実施形態に係る、テレビの梱包構造を部分的に示す斜視図である。
【図９】第２の実施形態に係る、天井アドに連結部材が接続されている状態を示す斜視図である。
【図１０】第２の実施形態に係る、右端部底アドを示す平面図及び側面図である。
【図１１】第２の実施形態に係る、テレビの梱包構造を示す斜視図であり、図８から連結部材を取り除いた状態の図である。
【図１２】第２の実施形態に係る、テレビの梱包構造を部分的に示す斜視図であり、エアバッグが収縮し取り外された状態の図である。
【図１３】第３の実施形態に係る、テレビの梱包構造を模式的に示す図である。
【図１４】第４の実施形態に係る、テレビの梱包構造を模式的に示す図である。
【発明を実施するための形態】
【００１０】
次に、本発明を実施するための形態（以下、単に「実施形態」という）を、図面を参照して具体的に説明する。
【００１１】
＜第１の実施形態＞
図１に示す本実施形態の梱包構造では、テレビ本体１の幅方向の中央部の裏面にスタンド台座２が取り付けられるテレビが梱包される。スタンド台座２は、テレビ本体１から分離されて梱包箱３に梱包される。
【００１２】
梱包箱３は、下箱４と、この下箱４に被せられる上箱（不図示）とから構成されている。図２に示すように、下箱４の左端部には左端部アド５が、幅方向中央部には中央部アド６が、右端部には右端部アド７がそれぞれ収納される。上箱にも幅方向の中央部及び左右の端部にアドが収納される。なお、左端部アド５、中央部アド６、右端部アド７、及び上箱内に収容されるアドは、梱包品を梱包箱３内に支持する緩衝材である。
【００１３】
左端部アド５は、テレビ本体１の左端部を収容する収容室を備えた四角ブロック状を呈しており、スタンド台座２による支持位置よりも低い位置にテレビ本体１を支持する。収容室に収容されたテレビ本体１は、前面、後面、下面、及び左側面が左端部アド５で覆われる。
【００１４】
右端部アド７は、テレビ本体１の右端部を収容する収容室を備えた四角ブロック状を呈しており、スタンド台座２による支持位置よりも低い位置にテレビ本体１を支持する。収容室に収容されたテレビ本体１は、前面、後面、下面、及び右側面が右端部アド７で覆われる。
【００１５】
中央部アド６は、テレビ本体１の下部を前側から覆う前側アド６１と、後側から覆う後側アド６２とで構成されている。前側アド６１は、テレビ本体１の前面から下面にかけて覆うＬ字の断面形状を有しており、スタンド台座２による支持位置よりも高い位置にテレビ本体１を支持する。後側アド６２は、テレビ本体１の後面側を覆う平板状を呈しており、テレビ本体１の下面側に延びた前側アド６１が嵌め合わされる嵌合部を下端部に備えている。前側アド６１のテレビ本体１の下面側に延びた部分は、スタンド台座２の載置体２１に嵌め合わされる形状を有している。
【００１６】
左端部アド５及び右端部アド７の下面には、エアバッグ（エアークッション）８が配置される。エアバッグ８は、テレビ本体１に取り付けられた左端部アド５及び右端部アド７を安定して支持できるよう、四角箱状の袋体から形成されている。エアバッグ８の側面には、空気の出入する栓が設けられている。エアバッグ８は、膨らんだ状態で左端部アド５及び右端部アド７で支持されたテレビ本体１が、中央部アド６による支持位置と同じ高さで支持される高さを有している。
【００１７】
梱包箱３にテレビを梱包する際には、まず、左端部アド５、右端部アド７、及び中央部アド６を展開された下箱４の底板に配置し、下箱４を箱状に組み立てる。左端部アド５及び右端部アド７は、エアバッグ８により下箱４の底板に支持されている。
【００１８】
次に、テレビ本体１を左端部の下部が左端部アド５に、中央部の下部が中央部アド６に、右端部の下部が右端部アド７にそれぞれ嵌め合わされるように下箱４内に配置する。各アド５、６、７が取り付けられたテレビ本体１は、下箱４の底板からスタンド台座２による支持位置よりも高い位置で支持される。
【００１９】
続いて、スタンド台座２等を左端部アド５、中央部アド６、又は右端部アド７に形成された嵌合部に嵌めて固定する。次に、テレビ本体１の上部の左端部、中央部、右端部にそれぞれアドを嵌め合わせる。このとき、スタンド台座２等が各アドの嵌合部に嵌め合わされるようにする。続いて、下箱４に上箱を被せて、テレビ本体１を上箱で覆う。
【００２０】
テレビ本体１は、下箱４内の左端部アド５、中央部アド６、及び右端部アド７と、上箱内のアドとで梱包箱３内に位置決めされる。また、スタンド台座２等は、上箱側のアド及び下箱４側のアド５、６、７に嵌め合わされる等して梱包箱３内に固定される。
【００２１】
テレビの梱包を解く時には、上箱を下箱４から外して、テレビ本体１の上部に嵌め合わされたアドを取り外し、図３に示すように、下箱４を展開させる。続いて、中央部アド６の前側アド６１から後側アド６２を分離し、前側アド６１をテレビ本体１の前側から、後側アド６２を後側からそれぞれ取り外す。
【００２２】
次に、スタンド台座２の載置体２１をテレビ本体１の下側に進入させ、テレビ本体１の後面にスタンド台座２を取り付ける。テレビ本体１の後面にスタンド台座２を取り付ける際には、スタンド台座２の載置体２１が下箱４の底板から浮き上がった状態となる。このため、テレビ本体１の荷重がスタンド台座２にかからない状態で取付作業が行われる。
【００２３】
スタンド台座２の取り付けが済んだら、左端部アド５及び右端部アド７のエアバッグ８の栓を開いて空気を抜く。これにより、左端部アド５及び右端部アド７が下箱４の底板から浮き上がった状態となり、テレビ本体１が下箱４の底板にスタンド台座２で支持される。続いて、左端部アド５及び右端部アド７をテレビ本体１の左側及び右側から取り外す。
【００２４】
本実施形態によれば、スタンド台座２による支持位置よりも高い位置で支持されたテレビ本体１にスタンド台座２を取り付けた後、エアバッグ８の空気を抜くことで左端部アド５及び右端部アド７を下箱４の底板から浮いた状態とし、テレビ本体１から楽に取り外すことができる。このため、テレビ本体１を左端部アド５及び右端部アド７で支持したままスタンド台座２の取付及び開梱を行える。従って、開梱スペースを削減でき、また、スタンド台座２の取付や開梱作業にかかる手間も削減できる。
【００２５】
上記実施形態では、梱包箱３が上箱と下箱４とに分割して構成されている場合について説明したが、底板上にテレビ本体１が載置された状態で展開可能に構成されているのであれば、分割されている必要はない。また、エアバッグ８は、下箱４の底板に固定されていてもよい。また、エアバッグ８が上下に複数層に積層され、各層毎に栓を介して空気の出し入れを行うことで、高さ調整できるよう構成されていてもよい。
【００２６】
また、上記実施形態では、左端部アド５及び右端部アド７のみがエアバッグ８で支持される構成であったが、中央部アド６もエアバッグ８で支持される構成としてもよい。この場合、エアバッグ８が左端部アド５、中央部アド６、及び右端部アド７毎に別個に設けられている必要はなく、左端部アド５、中央部アド６、及び右端部アド７を１つのエアバッグ８で支持する構成としてもよい。
【００２７】
また、エアバッグ８の形状は四角箱状には限定されず、例えば、円筒状、円環状、三角箱等の他の角箱状を呈していてもよい。また、エアバッグ８の上面や下面等の外周面に凹凸を設けてもよい。また、エアバッグ８は、左端部アド５及び右端部アド７の下面に固定されていてもよく、さらに、左端部アド５及び右端部アド７の側面も覆うように構成されていてもよい。
【００２８】
また、図４に示すように、左端部アド５１の下面が右端から左端にかけて上昇傾斜し、右端部アド７１の下面が左端から右端にかけて上昇傾斜している構成としてもよい。左端部アド５１を支持するエアバッグ８１は、上面が右端から左端かけて上昇傾斜している。右端部アド７１を支持するエアバッグ８１は、上面が左端から右端にかけて上昇傾斜している。
【００２９】
左端部アド５１及び右端部アド７１は、図５に示すようにテレビ本体１に取り付けられた状態でエアバッグ８１の空気が抜かれると、テレビ本体１から脱落する。図６に示すように、左端部アド５１は、テレビ本体１の左側に倒れてテレビ本体１から脱落する。また、右端部アド７１は、テレビ本体１の右側に倒れてテレビ本体１から脱落する。このため、左端部アド５１及び右端部アド７１をテレビ本体１から左右の側方に取り外す作業を容易に行うことができる。
＜第２の実施形態＞
【００３０】
上述の第１の実施形態では、底面の衝撃緩和用部材（アド）にエアバッグ機能を設ける梱包構造によって、特に大型表示装置の開梱、設置作業性（スタンド取付けや開梱作業時の作業スペース）の改善を実現した。また、エアバッグに傾斜が用いられた構成による開梱作業の改善方法を採用することで、スタンド取付け後、底アドを効率的に除去し作業性を改善することを実現した。
【００３１】
ところで、画面サイズが６０インチタイプの液晶テレビ（表示装置）であれば、上記構造を梱包構造を調整することで、テレビセット上部に据えられている梱包材は、作業終了後に普通に取り外すことが可能である。しかし、画面サイズが９０インチタイプの液晶テレビでは、高さは約１．２ｍあり、今後さらに大型化展開が進むと、開梱時の製品上部に取り付けられている梱包部材の効率的な取り外しの対応は不可欠となる。そこで、より高い位置に取り付けられていることになるアド等の部材が、取り外しの際、落下してくることも想定される。そこで、本実施形態では、梱包構造に製品上部に取り付けられた衝撃緩和用部材（アド）を効率よく、安全に取り外し作業性を向上させる技術を提案する。
【００３２】
図７は本実施形態に係る液晶テレビの梱包構造を、図８は、液晶テレビの梱包構造を一部透視した状態を示している。なお、本実施形態では、梱包箱については省略している。
【００３３】
この梱包構造は、梱包状態において、表示部本体１の下面の幅方向の両端に配置される底アド（左端部底アド１５１及び右端部底アド１７１）と、表示部本体の上面の幅方向の両端に配置される天井アド（左端部天井アド１１１及び右端部天井アド１３１）とを備える。さらに、底アド（左端部底アド１５１及び右端部底アド１７１）の下側にはエアバッグ１８１が設けられている。
【００３４】
また、底アドと直上の天井アドとを連結する連結部材１４１が設けられている。つまり、左端部天井アド１１１と左端部底アド１５１とが連結部材１４１で連結しており、右端部天井アド１３１と右端部底アド１７１とが連結部材１４１で連結している。
【００３５】
なお、エアバッグ１８１は、後述の通り連結部材１４１の下側端部が床面に当たることができるように、アングル用連通孔１５５、１７５が形成され部分には底アドと接しないような形状、ここでは幅方向に小さめな形状が採用される。
【００３６】
天井アド（左端部天井アド１１１及び右端部天井アド１３１）及び底アド（左端部底アド１５１及び右端部底アド１７１）は、第１の実施形態と同様に、発泡スチロールのブロックであり、それぞれにテレビ本体１の端部をはめ込み収容するための収容室１１３、１３３、１５３、１７３が設けられている。なお、ここでは、左端部天井アド１１１及び右端部天井アド１３１とは相互に対称的な構造を有し、同様に、左端部底アド１５１及び右端部底アド１７１とは相互に対称的な構造を有している。ただし、本実施形態で特徴的な機能を実現する事が可能な限り、適宜異なる構造を採用することができる。
【００３７】
ここで、図９に、左端部天井アド１１１と右端部天井アド１３１について、連結部材１４１が接続されている状態を示す。連結部材１４１は、例えば等辺又は不等辺のペーパーアングルである。連結部材１４１として、エッジボード角材等による角材部材が用いられてもよいし、所定断面形状の筒状体や柱材体が用いられてもよい。また、一組の底アドと天井アドとの連結に二つの連結部材１４１が用いられているが、一つでもよいし、３つ以上でもよい。
【００３８】
左端部天井アド１１１と右端部天井アド１３１には、それぞれの外側近傍に連結部材１４１を嵌め込むための断面Ｌ字状の開孔１１５、１３５が形成されている。この開孔１１５、１３５は、左端部底アド１５１及び右端部底アド１７１のアングル用連通孔１５５、１７５とは異なり、上下に貫通していない。
【００３９】
図１０（ａ）に右端部底アド１７１の平面図を示し、図１０（ｂ）に右端部底アド１７１の側面図を示す。ここでは、連結部材１４１が取り付けられた状態を示している。なお、図１１は、図８から連結部材１４１を取り除いた状態の梱包状態を示している。
【００４０】
図示のように、右端部底アド１７１の外側端部近傍（図示右側端部近傍）には、上面１７２と下面１７４とを連通するＬ字状のアングル用連通孔１７５が二つ形成されている。このアングル用連通孔１７５に連結部材１４１が挿入可能になっている。左端部底アド１５１のアングル用連通孔１５５も同様の構成となっている。
【００４１】
そして、図７や図８に示すような、テレビ本体１が梱包状態にある場合には、テレビ本体１の四隅に左端部天井アド１１１、右端部天井アド１３１、左端部底アド１５１及び右端部底アド１７１が嵌め込まれる。そして、上述のように、左端部天井アド１１１と左端部底アド１５１とが連結部材１４１で連結しており、右端部天井アド１３１と右端部底アド１７１とが連結部材１４１で連結している。
【００４２】
このとき、図１０（ｂ）に示すように、連結部材１４１の下側部分は、アングル用連通孔１７５を貫通し、先端部分がエアバッグ１８１の下面と同じ位置、つまり、床面位置に配置される。
【００４３】
そして、図１２に示すように、エアバッグ１８１が収縮すると、表示部本体１の重さで底アド（左端部底アド１５１及び右端部底アド１７１）が下降する。さらに、下降に伴い、連結部材１４１は動かないことから天井アドも動かず、底アド（左端部底アド１５１及び右端部底アド１７１）と天井アド（左端部天井アド１１１及び右端部天井アド１３１）との連結距離が長くなる。その結果、天井アドが表示部本体１から外れる。また、このとき、スタンド台座２が床面に届いた位置で下降が止まるが、エアバッグ１８１が収縮したときに、底アド（左端部底アド１５１及び右端部底アド１７１）が床面から若干浮いた状態とすることで、底アドがスムーズに外れやすくなる。つまり、底アドは、テレビ本体１から実質外れた状態になる。
【００４４】
以上、本実施形態によると、底アドに、ペーパーアングル等を装着できる挿入部（アングル用連通孔１５５、１７５）が設けられており、天井アドと一体に組み立てられた連結部材１４１をその挿入部分に差し込む構造が採用された。その結果、エアバッグ１８１の空気抜けによって、底アドが外れる動作に呼応して、連結部材１４１と一体で組み立てられている天井アドも、連動して取り外し可能になる。
【００４５】
＜第３の実施形態＞
図１３は、本実施形態に係る液晶テレビの梱包構造を模式的に示しており、この梱包構造は第１及び第２の実施形態の変形例である。具体的には、上記第２の実施形態で示した連結部材１４１を用いた底アドと天井アドとの連結構造と、図４〜６で示した上面傾斜構造のエアバッグ８１及び底面構造の底アドとを組み合わせたものである。
【００４６】
図示のように、第２の実施形態と同様に、梱包状態においてテレビ本体１の四隅には、底アド（左端部底アド２５１及び右端部底アド２７１）と天井アド（左端部天井アド２１１及び右端部天井アド２３１）が取り付けられる。さらに、底アド（左端部底アド２５１及び右端部底アド２７１）と天井アド（左端部天井アド２１１及び右端部天井アド２３１）とを連結する連結部材２４１がそれらに取り付けられている。
【００４７】
底アド（左端部底アド２５１及び右端部底アド２７１）の底面は、テレビ本体１の幅方向において中心側に向かって下がる傾斜になっている。そして、底アド（左端部底アド２５１及び右端部底アド２７１）の下に配置されるエアバッグ２８１の上面は、底アド（左端部底アド２５１及び右端部底アド２７１）の底面に対応して、幅方向中心側に向かって上がる傾斜となっている。なお、連結部材２４１を配置するための連結部材挿入部は、第２の実施形態のアングル用連通孔１７５とは異なり、貫通せずに所定深さとなっている。
【００４８】
そして、図１３（ｂ）のように、エアバッグ２８１の空気が抜け始めると、それに連動してテレビ本体１が下がり始める。エアバッグ２８１は外側ほど収縮量が大きいため、底アド（左端部底アド２５１及び右端部底アド２７１）は外側に回転するように低下している。その結果、図１３（ｃ）に示すように、底アド（左端部底アド２５１及び右端部底アド２７１）が床面２９９に達し、連結部材２４１と底アド（左端部底アド２５１及び右端部底アド２７１）との連結が解除する。なお、底アドの連結部材挿入部は、底アド（左端部底アド２５１及び右端部底アド２７１）の移動・回転量と連結部材２４１との連結状態及びその解除の容易性を考慮して、大きさ及び深さが調整される。また、連結部材２４１と底アドとの連結が解除したときに、天井アド（左端部天井アド２１１及び右端部天井アド２３１）とを連結部材２４１とは連結が維持されている。
【００４９】
以上、本実施形態によると、特に大型、超大型の表示装置を開梱・設置する際に、製品（テレビ本体１）の上部及び下部の梱包部材（天井アド、底アド）を連動させて、梱包部材を効率的かつ安全に取り外しすることができる。特に上部梱包部材落下等の危険回避も含めた開梱作業と設置作業の効率が期待できる。
【００５０】
＜第４の実施形態＞
図１４は、本実施形態に係る液晶テレビの梱包構造を模式的に示しており、この梱包構造は第１及び第２の実施形態の変形例である。具体的には、第３の実施形態と同様に、上記第２の実施形態で示した連結部材１４１を用いた底アドと天井アドとの連結構造と、図４〜６で示した上面傾斜構造のエアバッグ８１及び底面構造の底アドとを組み合わせたものである。
【００５１】
図示のように、第２の実施形態と同様に、梱包状態においてテレビ本体１の四隅には、底アド（左端部底アド３５１及び右端部底アド３７１）と天井アド（左端部天井アド３１１及び右端部天井アド３３１）が取り付けられる。さらに、底アド（左端部底アド３５１及び右端部底アド３７１）と天井アド（左端部天井アド３１１及び右端部天井アド３３１）とを連結する連結部材３４１がそれらに取り付けられている。
【００５２】
底アド（左端部底アド３５１及び右端部底アド３７１）は、第３の実施形態の底アドと同様の構造であって、テレビ本体１の幅方向において中心側に向かって下がる傾斜になっている。同様に、エアバッグ３８１の上面は、底アド（左端部底アド３５１及び右端部底アド３７１）の底面に対応して、幅方向中心側に向かって上がる傾斜となっている。なお、連結部材３４１を配置するための連結部材挿入部は、貫通せずに所定深さとなっている。
【００５３】
そして、図１４（ｂ）のように、エアバッグ３８１の空気が抜け始めると、それに連動してテレビ本体１が下がり始める。エアバッグ３８１は外側ほど収縮量が大きいため、底アド（左端部底アド３５１及び右端部底アド３７１）は外側に回転するように低下している。
【００５４】
本実施形態では、連結部材３４１が底アド及び天井アドとの連結状態を維持するように底アド及び天井アドに取り付けられている。つまり、第２の実施形態とは異なり、連結部材３４１は底アド（左端部底アド３５１及び右端部底アド３７１）から外れない。
【００５５】
その結果、図１４（ｃ）に示すように、連結部材３４１は、その上端が外側に開くように動くことから、底アド（左端部底アド３５１及び右端部底アド３７１）が床面３９９に達したときには、天井アド（左端部天井アド３１１及び右端部天井アド３３１）がテレビ本体１から外れている。このような構造によって、第２の実施形態と同様に、梱包部材を効率的・安全に取り外すことができる。なお、完全に外れなくとも、すぐに取り外せる程度まで天井アド（左端部天井アド３１１及び右端部天井アド３３１）が移動するように構成されているものも実質的に外れているものと見なしてよい。
【００５６】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００５７】
１  テレビ本体
２  スタンド台座
２１  載置体
３  梱包箱
４  下箱
５、５１、１５１、２５１、３５１  左端部アド
６  中央部アド
６１  前側アド
６２  後側アド
７、７１、１７１、２７１、３７１  右端部アド
８、８１、１８１、２８１、３８１  エアバッグ
１１１、２１１、３１１  左端部天井アド
１３１、２３１、３３１  右端部天井アド
１４１、２４１、３４１  連結部材
【要約】      （修正有）【課題】開梱スペースを削減でき、また、スタンド機構の取付や開梱作業にかかる手間も削減できるテレビの梱包構造を提供する。【解決手段】梱包箱３は、下箱４と、下箱４に被せられる上箱とから構成されている。下箱４の左端部には左端部アド５が、幅方向の中央部には中央部アド６が、右端部には右端部アド７がそれぞれ収納される。中央部アド６は、スタンド台座による支持位置よりも高い位置にテレビ本体を支持する。左端部アド５及び右端部アド７の下面には、エアバッグ８が取り付けられている。エアバッグ８は、膨らんだ状態で左端部アド５及び右端部アド７に取り付けられたテレビ本体が中央部アド６による支持位置と同じ高さで支持される高さを有している。【選択図】図２【図１】
0005153956.tif 000002
【図２】
0005153956.tif 000003
【図３】
0005153956.tif 000004
【図４】
0005153956.tif 000005
【図５】
0005153956.tif 000006
【図６】
0005153956.tif 000007
【図７】
0005153956.tif 000008
【図８】
0005153956.tif 000009
【図９】
0005153956.tif 000010
【図１０】
0005153956.tif 000011
【図１１】
0005153956.tif 000012
【図１２】
0005153956.tif 000013
【図１３】
0005153956.tif 000014
【図１４】
0005153956.tif 000015